(57)【要約】      （修正有）【課題】事務所の従業員が常時自分の行き先を表示することができる情報伝達システムを提供する。【解決手段】情報伝達システム１は、発信装置から発信された行き先情報を示す信号を入力する入力部２と、受信した信号から確認された行き先情報を順次保存する記憶部３と、行き先情報を通信可能な他の起動している端末に送信する送信部４とを含む管理装置５を備える。管理装置５は、他の端末に実装され、その端末によって電源管理がなされていてもよい。送信部４は、受信した信号から確認された行き先情報を、通信可能な他の起動していない端末に定期的に送信してもよい。【選択図】図９
2014086801.tif 000002
【特許請求の範囲】
【請求項１】
発信装置から発信された行き先情報を示す信号を入力する入力部と、
受信した前記信号から確認された行き先情報を順次保存する記憶部と、
前記行き先情報を通信可能な他の起動している端末に送信する送信部とを含む管理装置を備えること
を特徴とする情報伝達システム。
【請求項２】
管理装置は、他の端末に実装され、前記端末によって電源管理がなされている
請求項１に記載の情報伝達システム。
【請求項３】
送信部は、受信した信号から確認された行き先情報を、通信可能な他の起動していない端末に定期的に送信する
請求項１または請求項２に記載の情報伝達システム。
【請求項４】
入力部は、送信部の発信対象となる端末の起動情報を受信する
請求項１または請求項２に記載の情報伝達システム。
【請求項５】
送信部は、入力部が受信した端末の起動情報に基づき、前記端末が起動したときに、受信した信号から確認された行き先情報を送信する
請求項４に記載の情報伝達システム。
【請求項６】
送信部は、入力部が受信した端末の起動情報に基づき、前記端末が起動したときに、記憶部に保存されている全ての行き先情報を送信する
請求項５に記載の情報伝達システム。
【請求項７】
所有者の行き先情報を示す信号を発信する発信装置から発信された信号を入力し、
受信した前記信号から確認された行き先情報を順次記憶部に保存し、
前記行き先情報を通信可能な他の起動している端末に送信する
ことを特徴とする情報伝達方法。
【請求項８】
コンピュータに、
所有者の行き先情報を示す信号を発信する発信装置から発信された信号を入力する入力処理、
受信した前記信号から確認された行き先情報を順次記憶部に保存する保存処理、および、
前記行き先情報を通信可能な他の起動している端末に送信する送信処理
を実行させるための情報伝達プログラム。
【発明の詳細な説明】
【技術分野】
【０００１】
本発明は、情報伝達システム、情報伝達方法および情報伝達プログラムに関する。
【背景技術】
【０００２】
事務所内で自席に着く場合や自席から離席する場合に、従業員は、自分のコンピュータの行き先掲示板ソフトウエアやホワイトボードなどに行き先（在席、外出、帰宅、会議、すぐ戻る）を記載し、自分の行き先を周囲に知らせていた。
【０００３】
ホワイトボードを使用する場合、ホワイトボードの設置スペースが確保される必要がある。また、手書きにより行き先を記載するため、従業員は、行き先を記入したり消去したりしなければならない。また、ホワイトボードに記載する際に、ペンのインクが消費される。
【０００４】
コンピュータソフトウェアを使用する場合には、ネットワークが混雑していたりコンピュータソフトウェア自体が動かなかったりして、行き先を入力するのに時間がかかる場合がある。また、コンピュータソフトウェアを使用する場合、行き先を入力するために、キーボード及びマウスによる操作が必要である。これらの操作は、従業員にとって面倒な操作である。
【０００５】
また、コンピュータソフトウェアを使用する場合、コンピュータ自体が動作していなかったり、コンピュータが休止状態であったりすると、従業員は、行き先を入力することができない。
【０００６】
従業員が離席しているときには、コンピュータに対するキーボード及びマウスによる操作は、一定時間行われない。使用者が設定した一定時間内にキーボード及びマウスによる操作が無かった場合に、コンピュータは、省エネルギーのため休止状態に移行する。よって、従業員は、離席時にコンピュータソフトウェアで行き先を設定することができない。
【０００７】
離席時でもコンピュータソフトウェアで行き先を設定できるようにするために、コンピュータを常時動作させておく必要がある。そのためには、一定時間操作がされなくても休止状態にならないようにコンピュータを設定するか、または休止状態に遷移するまでの一定時間を延ばすといった方法が考えられる。
【０００８】
しかし、休止状態にならないようにコンピュータを設定した場合、使用者がコンピュータを元の設定に戻すことを失念した時にはコンピュータが休止状態にならず、電力が無駄に消費される。また、休止状態に遷移するまでの一定時間を延ばした場合、設定した時間が過ぎるまでは休止状態にならず、同様に電力が無駄に消費される。
【０００９】
特許文献１には、事務所内の机上のコンピュータにキーレスエントリシステムの受信機側の機能を持たせ、従業員が、離席時にキーレスエントリシステムの電子キーを使用し、机上のコンピュータに対して特定小電力無線機能を用いて、画面上に行き先を表示させることができる情報伝達システムが記載されている。
【００１０】
キーレスエントリシステムは、自動車等に使用されている、キーをカギ穴に差し込まなくてもボタン操作でドアの施錠や解錠ができるシステムである。
【００１１】
また、この情報伝達システムは、従業員の離席時には行き先を表示すると同時に、省エネルギーのため、コンピュータを即時に休止状態にする。
【先行技術文献】
【特許文献】
【００１２】
【特許文献１】特許第４８３９４９１号公報
【発明の概要】
【発明が解決しようとする課題】
【００１３】
しかし、特許文献１に記載された情報伝達システムでは、机上のコンピュータ自身にキーレスエントリシステムの受信機側の機能が設けられているため、コンピュータが停止している時に従業員は自分の行き先を表示することができない。
【００１４】
そこで、本発明は、事務所の従業員が常時自分の行き先を表示することができる情報伝達システム、情報伝達方法および情報伝達プログラムを提供することを目的とする。
【課題を解決するための手段】
【００１５】
本発明による情報伝達システムは、発信装置から発信された行き先情報を示す信号を入力する入力部と、受信した信号から確認された行き先情報を順次保存する記憶部と、行き先情報を通信可能な他の起動している端末に送信する送信部とを含む管理装置を備えることを特徴とする。
【００１６】
本発明による情報伝達方法は、所有者の行き先情報を示す信号を発信する発信装置から発信された信号を入力し、受信した信号から確認された行き先情報を順次記憶部に保存し、行き先情報を通信可能な他の起動している端末に送信することを特徴とする。
【００１７】
本発明による情報伝達プログラムは、コンピュータに、所有者の行き先情報を示す信号を発信する発信装置から発信された信号を入力する入力処理、受信した信号から確認された行き先情報を順次記憶部に保存する保存処理、行き先情報を通信可能な他の起動している端末に送信する送信処理を実行させることを特徴とする。
【発明の効果】
【００１８】
本発明によれば、事務所の従業員が常時自分の行き先を表示することができる。
【図面の簡単な説明】
【００１９】
【図１】本発明の第１の実施形態における情報伝達システム１０の構成例を示すシステム構成図である。
【図２】本発明の第１の実施形態における情報伝達システム１０の構成例を示すシステム構成図である。
【図３】情報伝達システム１０の構成例を示すブロック図である。
【図４】第１の実施形態における情報伝達システム１０の動作を示すフローチャートである。
【図５】本発明の第２の実施形態における情報伝達システム１０の構成例を示すシステム構成図である。
【図６】本発明の第２の実施形態における情報伝達システム１０の構成例を示すシステム構成図である。
【図７】第２の実施形態における情報伝達システムの動作を示すフローチャートである。
【図８】本発明の第３の実施形態における情報伝達システム１０の構成例を示すシステム構成図である。
【図９】情報伝達システムの概要を示すブロック図である。
【発明を実施するための形態】
【００２０】
実施形態１．
以下、本発明の第１の実施形態を図面を参照して説明する。図１は、本発明による情報伝達システムの第１の実施形態の構成例を示すシステム構成図である。図１に示す情報伝達システム１０は、電子キー２０と、行き先管理装置３０とを備えている。
【００２１】
図１には、行き先管理装置３０が、自席コンピュータ６０に実装されている行き先管理装置１３０と、複数の他者コンピュータの中の１つである他者コンピュータ７０に実装されている行き先管理装置２３０に、通信ネットワーク網５０を介して接続されている例が示されている。
【００２２】
なお、図１には１台の他者コンピュータ７０が示されているが、他者コンピュータ７０の台数は２台以上であっても良い。
【００２３】
自席に着席する、または自席から離席する時に、電子キー２０の所有者は、行き先管理装置３０に信号を送信するために電子キー２０を使用する。なお、以下、行き先情報として、着席および離席を示す情報を例にする。
【００２４】
行き先管理装置３０は、常時動作するように設定されている。その結果、電子キー２０の所有者は、常時信号を送信することができる。
【００２５】
行き先管理装置３０は、電子キー２０から信号を受信すると信号の内容を確認する。確認後、行き先管理装置３０は、電子キー２０の所有者の行き先情報を示す信号を通信可能な複数の端末へ送信する。
【００２６】
自席コンピュータ６０は、電子キー２０の所有者が利用するコンピュータである。自席コンピュータ６０には、行き先管理装置３０と同じ機能を有する行き先管理装置１３０が実装されている。
【００２７】
他者コンピュータ７０は、電子キー２０の所有者以外の者が利用するコンピュータである。他者コンピュータ７０には、行き先管理装置３０と同じ機能を有する行き先管理装置２３０が実装されている。
【００２８】
行き先管理装置３０から信号を受信した自席コンピュータ６０における行き先管理装置１３０、および行き先管理装置３０から信号を受信した他者コンピュータ７０における行き先管理装置２３０は、行き先管理装置３０にて確認された電子キー２０の所有者の行き先情報を画面上に表示する。
【００２９】
電子キー２０は、信号を送信できるように行き先管理装置３０と通信ネットワーク網４０を介して接続されている。なお、この実施形態では、通信ネットワーク網４０は、特定小電力無線によるデータ通信網である。特定小電力無線の送信範囲は、発信場所から約１０メートル以内である。電子キー２０は、行き先管理装置３０と通信可能な状態である。
【００３０】
行き先管理装置３０は、信号を送信できるように自席コンピュータ６０における行き先管理装置１３０および他者コンピュータ７０における行き先管理装置２３０と、通信ネットワーク網５０を介して接続されている。なお、この実施形態では、通信ネットワーク網５０は、特定小電力無線によるデータ通信網である。行き先管理装置３０は、行き先管理装置１３０および行き先管理装置２３０と通信可能な状態である。
【００３１】
なお、図２に示すように、行き先管理装置３０は、サーバ８０に実装されても良い。図２は、本発明の第１の実施形態における情報伝達システム１０の構成例を示すシステム構成図である。サーバ８０は、例えばプリンタ等である。
【００３２】
例えば、常時電源が入っている、または待機状態（スリープ）である事務所内のサーバ８０に、行き先管理装置３０を実装したとする。この場合、電子キー２０の所有者は、事務所内の他の全てのコンピュータ（自席コンピュータ等）の電源が入っていない時でも、電子キー２０から自分の行き先情報を示す信号を送信することができる。
【００３３】
サーバ８０に行き先管理装置３０を実装する場合には、情報伝達システム１０の利用者は、サーバ８０に行き先管理装置３０の電源機能の管理を任せることができる。このとき、サーバ８０は、自らの省エネルギー機能を利用して行き先管理装置３０の電源機能を管理することもできる。
【００３４】
このように、行き先管理装置３０をサーバ８０に実装すると、情報伝達システム１０の設備の効率化と省電力化を図ることができる。
【００３５】
次に、情報伝達システム１０内の詳細な構成を図３を参照して説明する。図３は、情報伝達システム１０の構成例を示すブロック図である。
【００３６】
図３に示す電子キー２０は、ボタン２１と発信部２２とを含む。
【００３７】
ボタン２１は、発信する信号を調整する機能を有する。
【００３８】
例えば、車のドア開閉などの通常のキーレスエントリシステムを使用する場合、ユーザは、ボタン２１を長押しせず短く押す。また、着席している旨の信号を送信する時、電子キー２０の所有者は、ボタン２１を長押しする。
【００３９】
発信部２２は、ボタン２１による調整に応じた信号を暗号化された状態で発信する。例えば、ユーザがボタン２１を短く押した場合、発信部２２は、車のドア開閉用の信号を単発で発信する。
【００４０】
電子キー２０の所有者がボタン２１を長く押した場合、発信部２２は、車のドア開閉用の信号を連続して発信する。またボタン２１が長押しされた場合、発信部２２は、所有者自身のコンピュータのＩＰ（Ｉｎｔｅｒｎｅｔ  Ｐｒｏｔｏｃｏｌ）アドレス等の特定の信号も出力する。
【００４１】
図３に示す行き先管理装置３０は、入力部３１と、受信照合部３２と、暗号化情報記憶部３３と、制御部３４と、送信変換部３５と、表示部３６と、データ記憶部３７とを含む。
【００４２】
入力部３１は、キーレスエントリシステムの受信機能を有する。入力部３１は、電子キー２０の発信部２２から送信された信号を受信する。
【００４３】
受信照合部３２は、電子キー２０からの連続信号と特定信号が入力部３１から入力されると、制御部３４の指示を受けてそれらの信号を照合する。具体的に、受信照合部３２は、暗号化情報記憶部３３に格納されている照合用のデータを用いて暗号化された状態の信号を復調する。
【００４４】
受信した信号に対し照合ができた場合、すなわち受信した信号を復調できた場合、受信照合部３２は、制御部３４の指示を受けて表示部３６とデータ記憶部３７に制御部３４を経由して照合結果を出力する。
【００４５】
暗号化情報記憶部３３は、受信照合部３２による照合用のデータを格納している。照合用のデータは、例えば、受信信号を復調する際に使用される暗号化キー等である。暗号化情報記憶部３３が個別に設けられることにより、格納されている情報の機密性が保たれる。
【００４６】
なお、暗号化キーは最初から暗号化情報記憶部３３に保存されている情報であるが、後から暗号化情報記憶部３３に追加されてもよい。暗号化キーを追加する方法として、例えば、行き先管理装置３０にデータ書き込み用のコネクタを用意し、利用者がそのコネクタを経由して書き込む、といった方法が考えられる。
【００４７】
暗号化情報記憶部３３からの暗号化データの読み出しは、制御部３４の指示を受けた受信照合部３２が行う。制御部３４ではなく受信照合部３２が読み出すことにより、情報伝達システム１０の利用者は、制御部３４からの情報流出を防ぐことができる。
【００４８】
制御部３４は、受信照合部３２が受信した信号を照合できた場合、受信照合部３２に対し照合結果を表示部３６とデータ記憶部３７に出力するよう指示する。
【００４９】
また、制御部３４は、送信変換部３５に対し、表示部３６に表示された行き先情報を通信可能な他の装置に対し発信するよう指示する。
【００５０】
送信変換部３５は、データ記憶部３７に保存されており、通信可能な全ての端末にまだ送信されていない行き先情報を、発信対象の装置となる他の管理装置、プリンタ、またはサーバへ定期的に発信する。
【００５１】
表示部３６は、制御部３４を経由して受信照合部３２から入力された照合結果を表示画面に表示する。なお、行き先管理装置３０がサーバ８０に実装される場合、表示部３６は、サーバ８０の表示画面を利用して照合結果を表示しても良い。
【００５２】
データ記憶部３７は、制御部３４を経由して受信照合部３２から入力された照合結果を順次保存する。
【００５３】
以下、本発明の動作を、図４を参照して説明する。図４は、第１の実施形態における情報伝達システム１０の動作を示すフローチャートである。
【００５４】
電子キー２０の所有者が自席に着くと（ステップＳ００１）、所有者は、電子キー２０のボタン２１を長押しする（ステップＳ００２）。
【００５５】
電子キー２０のボタン２１が長押しされると、電子キー２０の発信部２２は、管理装置３０に連続信号と特定信号を送信する（ステップＳ００３）。
【００５６】
連続信号と特定信号を受信した入力部３１は、受信照合部３２へ受信した信号を出力する。信号が入力された受信照合部３２に対し、制御部３４は、暗号化情報記憶部３３に格納されている照合用のデータを用いて照合するよう指示する（ステップＳ００４）。
【００５７】
受信照合部３２が受信した信号に対し照合ができなかった場合（ステップＳ００５のＮｏ）、制御部３４は、一連の情報伝達処理を終了する。
【００５８】
受信照合部３２が受信した信号に対し照合ができた場合（ステップＳ００５のＹｅｓ）、制御部３４は、受信照合部３２に対し照合結果を表示部３６とデータ記憶部３７に出力するよう指示する。
【００５９】
指示を受けた受信照合部３２は、照合結果である着席用信号を発信した電子キー２０の所有者が着席中という行き先情報を、制御部３４を経由して表示部３６とデータ記憶部３７に出力する。
【００６０】
制御部３４から行き先情報を入力された表示部３６は、着席用信号を発信した電子キー２０の所有者が着席中であることを表示画面に表示する（ステップＳ００６）。同時に、データ記憶部３７は、制御部３４から入力された行き先情報を保存する。
【００６１】
次に、制御部３４は、送信変換部３５に対し表示画面に表示された行き先情報を他の装置に発信するよう指示する。指示を受けた送信変換部３５は、着席用信号を発信した電子キー２０の所有者が着席中であるという行き先情報をデータ記憶部３７から取得し、定期的に他の装置に発信する（ステップＳ００７）。
【００６２】
送信変換部３５の発信対象の装置（自席コンピュータ６０または他者コンピュータ７０）が既に動作中であれば（ステップＳ００８のＹｅｓ）、その発信対象の装置は、行き先管理装置３０からの定期的な信号を受信することが可能である。
【００６３】
定期的な信号を受信後、自席コンピュータ６０における行き先管理装置１３０、または他者コンピュータ７０における行き先管理装置２３０は、電子キー２０の所有者が着席中であることを表示画面に表示する（ステップＳ００９）。
【００６４】
送信変換部３５の発信対象の装置（自席コンピュータ６０または他者コンピュータ７０）がまだ動作していなければ（ステップＳ００８のＮｏ）、その発信対象の装置は、行き先管理装置３０からの定期的な信号を受信することができない。
【００６５】
制御部３４は、その定期的な信号を受信しなかった発信対象の装置が起動し信号を受信することが可能になるまで、定期的に信号を発信するよう送信変換部３５に指示する（ステップＳ００７）。
【００６６】
以上のように、発信対象の装置が動作していない場合でも、行き先管理装置３０は、行き先管理装置３０のデータ記憶部３７に保存してある行き先情報を定期的に発信する。すなわち、行き先管理装置１３０または行き先管理装置２３０は、自席コンピュータ６０または他者コンピュータ７０が起動するとすぐに、行き先管理装置３０からの行き先情報を受信し、電子キー２０の所有者が着席していることを画面上に表示できる。
【００６７】
本実施形態の情報伝達システムでは、自動車のキーレスエントリシステムの受信機の暗号解読情報（照合用情報）を格納した行き先管理装置３０がサーバ８０に実装されているので、従業員は、事務所内の全てのコンピュータが動作していない場合であっても、システムの送信側となる電子キー２０を使用し、自分の行き先を行き先管理装置３０が実装されたサーバ８０に容易に知らせることができる。
【００６８】
本実施形態の情報伝達システムを使用する場合、行き先情報を受信した行き先管理装置３０は、データ記憶部３７に行き先情報を保存することが可能である。行き先情報が保存されているため、送信変換部３５は、この行き先情報を定期的に繰り返し発信することができる。よって、行き先管理装置３０が実装された受信側のコンピュータは、最初停止していた場合でも、起動後に定期的に発信される行き先情報を受信し、画面にその内容を表示することが可能となる。
【００６９】
実施形態２．
次に、本発明の第２の実施形態を説明する。なお、本発明の第２の実施形態における情報伝達システム１０の構成例は、第１の実施形態における説明と同様なため説明を省略する。
【００７０】
図５は、本発明による情報伝達システム１０の第２の実施形態の構成例を示すシステム構成図である。第１の実施形態の構成例と異なる点は、行き先管理装置３０が自席コンピュータ６０および他者コンピュータ７０と通信ネットワーク網９０を介して接続されている点である。
【００７１】
通信ネットワーク網９０は、有線ＬＡＮ（Ｌｏｃａｌ  Ａｒｅａ  Ｎｅｔｗｏｒｋ）、無線ＬＡＮ、またはＷＡＮ（Ｗｉｄｅ  Ａｒｅａ  Ｎｅｔｗｏｒｋ）等の通信ネットワーク網である。
【００７２】
行き先管理装置３０と自席コンピュータ６０、および行き先管理装置３０と他者コンピュータ７０が通信ネットワーク網９０を介して接続されている場合、自席コンピュータ６０および他者コンピュータ７０の起動情報が、通信ネットワーク網９０を介して行き先管理装置３０に送信される。
【００７３】
また、制御部３４は、通信ネットワーク網９０を介して送信変換部３５の発信対象となる装置が動作しているか否か確認する機能を有する。
【００７４】
なお、図６に示すように、行き先管理装置３０は、第１の実施形態と同様サーバ８０に実装されても良い。図６は、本発明の第２の実施形態における情報伝達システム１０の構成例を示すシステム構成図である。
【００７５】
以下、本発明の動作を、図７を参照して説明する。図７は、第２の実施形態における情報伝達システム１０の動作を示すフローチャートである。
【００７６】
電子キー２０の所有者が連続信号と特定信号を行き先管理装置３０に対して発信し、行き先管理装置３０が受信した信号の内容を照合して表示画面に表示するまでの処理フローは第１の実施形態と同様であるため、説明を省略する。
【００７７】
第１の実施形態と異なり、受信した信号の内容を表示画面に表示した後、行き先管理装置３０は、他の装置に対する表示画面の内容の定期的な発信を行わない。
【００７８】
管理装置の表示画面に着席用信号を発信した電子キー２０の所有者が着席中であることが表示された後、制御部３４は、通信ネットワーク網９０を介して送信変換部３５の発信対象の装置が動作しているか否か確認する（ステップＳ１０７）。
【００７９】
発信対象の装置（自席コンピュータ６０または他者コンピュータ７０）が既に動作中であれば（ステップＳ１０８のＹｅｓ）、制御部３４は、送信変換部３５に対し電子キー２０の所有者が着席中であるという行き先情報を発信するよう指示する。
【００８０】
自席コンピュータ６０に実装されている行き先管理装置１３０、または他者コンピュータ７０に実装されている行き先管理装置２３０は、送信変換部３５からの行き先情報を受信し電子キー２０の所有者が着席中であることを表示画面に表示する（ステップＳ１０９）。
【００８１】
発信対象の装置（自席コンピュータ６０または他者コンピュータ７０）がまだ動作していなければ（ステップＳ１０８のＮｏ）、制御部３４は、送信変換部３５に対し電子キー２０の所有者が着席中であるという行き先情報を発信しないよう指示する。このとき、行き先管理装置３０は待機状態となる（ステップＳ１１０）。
【００８２】
その後、動作していなかった発信対象の装置が起動し通信ネットワーク網９０を介して起動情報が送信され、その装置が起動したことを確認したら（ステップＳ１０８のＹｅｓ）、制御部３４は、送信変換部３５に対し電子キー２０の所有者が着席中であるという行き先情報を発信するよう指示する。
【００８３】
以上のように、通信ネットワーク網９０を利用すると、行き先管理装置３０は、発信対象の装置の起動情報を得ることができる。すなわち、行き先管理装置３０は、発信対象の装置が信号を受信可能な状態であるか否かが分かる。
【００８４】
信号を受信可能な状態であるか否かが分かれば、行き先管理装置３０は、発信対象の装置が信号を受信可能な時に発信すれば良く、定期的な発信を行わずに済む。よって、通信ネットワーク網９０を利用することにより、情報伝達システム１０の省エネルギー化を図ることができる。
【００８５】
本実施形態の情報伝達システムを使用する場合、行き先情報が行き先管理装置３０に保存された後に自席コンピュータ６０または他者コンピュータ７０が起動すると、行き先管理装置３０は、通信ネットワーク網９０を介して装置の起動情報を受信するため、これらの起動した装置に対し行き先情報を１回のみ発信すれば良い。
【００８６】
実施形態３．
次に、本発明の第３の実施形態を説明する。なお、本発明の第３の実施形態における情報伝達システム１０の構成例は、第１の実施形態における説明と同様なため説明を省略する。
【００８７】
第３の実施形態では、行き先管理装置３０が新たに起動した場合に、その行き先管理装置３０の制御部３４は、送信変換部３５に対し隣接する他の行き先管理装置３０へ起動したことを示す信号を送信するよう指示する機能を有する。
【００８８】
さらに、第１の実施形態とは異なり、その起動したことを示す信号を受信した行き先管理装置３０の制御部３４は、送信変換部３５に対し、自身のデータ記憶部３７に記憶している着席や会議中などの全ての行き先情報を、信号を発信した行き先管理装置３０宛に送信するよう指示する機能を有する。
【００８９】
以上の機能を、図８を参照して説明する。図８は、本発明による情報伝達システムの第３の実施形態の構成例を示すシステム構成図である。
【００９０】
図８に示すように、情報伝達システム１０内に、行き先管理装置３０が設けられたサーバ８０と、行き先管理装置１３０が設けられたサーバ１８０と、行き先管理装置２３０が実装されたサーバ２８０とが設置されている。
【００９１】
例えば、事務所内の全てのコンピュータの電源が入っておらずサーバ８０のみが動作している場合、電子キー２０が出力する行き先情報は、サーバ８０における行き先管理装置３０が受信し内部にあるデータ記憶部３７に保存される。
【００９２】
自席コンピュータ６０が起動すると、自席コンピュータ６０における行き先管理装置３３０の制御部３４は、送信変換部３５に対し起動したことを示す信号をサーバ８０に送信するよう指示する。
【００９３】
起動したことを示す信号を入力部３１において受信した、サーバ８０における行き先管理情報３０の制御部３４は、送信変換部３５に対し、データ記憶部３７に保存している事前に電子キー２０から受信した行き先情報を自席コンピュータ６０に送信するよう指示する。その結果、サーバ８０における行き先管理情報３０に保存されていた行き先情報は、自席コンピュータ６０との間で共有化される。
【００９４】
次に、サーバ１８０の電源が入れられた場合、サーバ１８０における行き先管理装置１３０の制御部３４は、送信変換部３５に対し起動したことを示す信号をサーバ８０と自席コンピュータ６０に送信するよう指示する。
【００９５】
起動したことを示す信号を入力部３１において受信した、サーバ８０における行き先管理情報３０の制御部３４は、送信変換部３５に対し、サーバ８０と自席コンピュータ６０との間で共有化されている行き先情報をサーバ１８０へ送信するよう指示する。その結果、サーバ８０と、サーバ１８０と、自席コンピュータ６０との間で、行き先情報が共有化される。
【００９６】
なお、自席コンピュータ６０が、行き先情報をサーバ１８０へ送信しても良い。この行き先情報を送信する行き先管理装置の優先順位は、情報伝達システム１０の利用者が決定しても良い。
【００９７】
行き先情報が複数の行き先管理装置の間で共有化されることで、例えば、サーバ８０や自席コンピュータ６０の電源が落とされても、行き先情報は、サーバ１８０によって発信される。この状態であれば次にサーバ２８０が起動した場合でも、サーバ１８０は、行き先情報をいつでもサーバ２８０に対し発信することができる。
【００９８】
また、サーバ８０、サーバ１８０、サーバ２８０、自席コンピュータ６０のいずれか１つが動作中であれば、新たに発信された他者の電子キー２０の情報は受信される。動作中の端末に実装されている行き先管理装置３０の行き先情報は後に起動した端末に実装されている行き先管理装置３０に送信されるため、最新の行き先情報は、起動した装置全てに必ず保存されている。
【００９９】
本実施形態の情報伝達システムを使用する場合、最初動作していなかったサーバや自席コンピュータ６０も、順次起動することにより新規の情報が含まれた行き先情報を共有することができる。
【０１００】
なお、上記の各実施形態では、発信装置として電子キー２０が用いられたが、発信装置として他の装置を用いることもできる。また、行き先情報として着席および離席を示す情報が用いられたが、具体的な行き先を明示する情報を用いることもできる。
【０１０１】
発信装置として、携帯電話機やスマートフォンが用いられる場合、使用者は、それらの装置から行き先を示すデータを発信させる。行き先管理装置３０が、行き先を示すデータを上記の各実施形態における着席および離席を示す情報に代えて取り扱うことによって、具体的な行き先を表示部３６に表示することができる。
【０１０２】
次に、本発明の概要を説明する。図９は、本発明による情報伝達システムの概要を示すブロック図である。本発明による情報伝達システム１は、発信装置から発信された行き先情報を示す信号を入力する入力部２（例えば、入力部３１）と、受信した信号から確認された行き先情報を順次保存する記憶部３（例えば、データ記憶部３７）と、受信した信号から確認された行き先情報を、通信可能な他の起動している端末に送信する送信部４（例えば、送信変換部３５）とを含む管理装置５（例えば、行き先管理装置３０）を備えている。
【０１０３】
そのような構成により、事務所の従業員は、この情報伝達システムを利用する場合、常時自分の行き先を表示することができる。
【０１０４】
また、管理装置５は、他の端末に実装され、その端末によって電源管理がなされていてもよい。
【０１０５】
そのような構成により、情報伝達システムの設備の効率化と省電力化を図ることができる。
【０１０６】
また、送信部４は、受信した信号から確認された行き先情報を、通信可能な他の起動していない端末に定期的に送信してもよい。
【０１０７】
また、入力部２は、送信部４の発信対象となる端末の起動情報を受信してもよい。
【０１０８】
そのような構成により、情報伝達システムは、発信対象の端末が信号を受信可能か否か分かるため、定期的な発信を行わずに済む。
【０１０９】
また、送信部４は、入力部２が受信した端末の起動情報に基づき、端末が起動したときに、受信した信号から確認された行き先情報を送信してもよい。
【０１１０】
また、送信部４は、入力部２が受信した端末の起動情報に基づき、端末が起動したときに、記憶部３に保存されている全ての行き先情報を送信してもよい。
【符号の説明】
【０１１１】
１  情報伝達システム
２  入力部
３  記憶部
４  送信部
５  管理装置
１０  情報伝達システム
２０  電子キー
２１  ボタン
２２  発信部
３０、１３０、２３０、３３０  行き先管理装置
３１  入力部
３２  受信照合部
３３  暗号化情報記憶部
３４  制御部
３５  送信変換部
３６  表示部
３７  データ記憶部
４０  通信ネットワーク網
５０  通信ネットワーク網
６０  自席コンピュータ
７０  他者コンピュータ
８０、１８０、２８０  サーバ
９０  通信ネットワーク網
【図１】
2014086801.tif 000003
【図２】
2014086801.tif 000004
【図３】
2014086801.tif 000005
【図４】
2014086801.tif 000006
【図５】
2014086801.tif 000007
【図６】
2014086801.tif 000008
【図７】
2014086801.tif 000009
【図８】
2014086801.tif 000010
【図９】
2014086801.tif 000011